(57)【要約】【課題】動作環境に応じた液体の噴射量の変化を有効に抑制する。【解決手段】記録ヘッド２４は、インクカートリッジ２２から供給されるインクの液滴を噴射する。環境検知部６６は、記録ヘッド２４の動作環境Ｅを検知する。動作環境Ｅは、記録ヘッド２４またはその周囲の温度（環境温度）である。圧力制御部７４は、インクカートリッジ２２の鉛直方向の位置を調整することで、記録ヘッド２４に対するインクの供給圧力Ｐを動作環境Ｅに応じて制御する。【選択図】図３
2012158132.tif 000002
【特許請求の範囲】
【請求項１】
液体容器から供給される液体を噴射する液体噴射部と、
前記液体噴射部の動作環境を検知する環境検知手段と、
前記液体噴射部に対する前記液体の供給圧力を前記動作環境に応じて制御する圧力制御手段と
を具備する液体噴射装置。
【請求項２】
前記圧力制御手段は、前記液体噴射部に対する前記液体容器の鉛直方向の位置を前記動作環境に応じて制御する
請求項１の液体噴射装置。
【請求項３】
前記液体噴射部に対する前記液体の供給経路に配置された圧力調整弁を具備し、
前記圧力制御手段は、前記動作環境に応じて前記圧力調整弁を制御する
請求項１の液体噴射装置。
【請求項４】
前記液体噴射部は、相異なる液体容器から供給される液体を噴射する複数のノズル列を含み、
動作環境と供給圧力の調整値とを対応付けるテーブルをノズル列毎に記憶する記憶手段を具備し、
前記圧力制御手段は、前記複数のノズル列の各々について、前記環境検知手段が検知する動作環境に対応する調整値を当該ノズル列の前記テーブルから特定して当該調整値に応じて前記液体の供給圧力を制御する
請求項１から請求項３の何れかの液体噴射装置。
【請求項５】
前記環境検知手段は、前記液体噴射部の環境温度を前記動作環境として検知する
請求項１から請求項４の何れかの液体噴射装置。
【請求項６】
前記環境検知手段は、前記液体噴射部の環境湿度を前記動作環境として検知する
請求項１から請求項４の何れかの液体噴射装置。
【請求項７】
前記液体噴射部から噴射された液体の着弾対象の種類を指定する対象指定手段を具備し、
前記圧力制御手段は、前記液体噴射部に対する前記液体の供給圧力を、前記動作環境と前記着弾対象の種類とに応じて制御する
請求項１から請求項６の何れかの液体噴射装置。
【請求項８】
液体容器から供給される液体を噴射する液体噴射部を具備する液体噴射装置の制御方法であって、
前記液体噴射部の動作環境を検知し、
前記液体噴射部に対する前記液体の供給圧力を前記動作環境に応じて制御する
液体噴射装置の制御方法。
【発明の詳細な説明】
【技術分野】
【０００１】
本発明は、インク等の液体を噴射する技術に関する。
【背景技術】
【０００２】
インクカートリッジから供給されるインクを記録ヘッドが噴射する液体噴射装置では、インクの噴射量の誤差が問題となる。特許文献１や特許文献２には、インクカートリッジをバネで弾性的に支持した構成が開示されている。インクが消費されてインクカートリッジの重量が減少するほどインクカートリッジがバネの作用で上昇するから、記録ヘッドに対するインクの供給圧力が一定に維持される。したがって、インクの噴射量の誤差を抑制することが可能である。
【先行技術文献】
【特許文献】
【０００３】
【特許文献１】特開２００８−１１９９６９号公報
【特許文献２】特開２００４−１７４８１５号公報
【発明の概要】
【発明が解決しようとする課題】
【０００４】
ところで、記録ヘッドからのインクの噴射量は、環境温度や環境湿度等の動作環境にも影響される。特許文献１や特許文献２の技術では、記録ヘッドに対するインクの供給圧力をインクの重量（消費量）に応じて制御するに過ぎないから、動作環境の変化に起因したインクの噴射量の誤差を適切に補償できないという問題がある。以上の事情を考慮して、本発明は、動作環境の変化に起因した液体の噴射量の変化を抑制することを目的とする。
【課題を解決するための手段】
【０００５】
以上の課題を解決するために、本発明の液体噴射装置は、液体容器から供給される液体（例えばインク）を噴射する液体噴射部と、液体噴射部の動作環境を検知する環境検知手段と、液体噴射部に対する液体の供給圧力を動作環境に応じて制御する圧力制御手段とを具備する。以上の構成では、液体噴射部の動作環境に応じて液体噴射部に対する液体の供給圧力が制御されるから、液体噴射部の動作環境の変化に起因した液体の噴射量の変化を抑制することが可能である。
【０００６】
なお、環境検知手段が検知する動作環境の典型例は、環境温度や環境湿度である。環境温度は、液体噴射部が設置された環境の温度（例えば液体噴射部自体の温度やその周囲の温度）を意味し、環境湿度は、液体噴射部が設置された環境の湿度を意味する。
【０００７】
液体噴射部に対する液体の供給圧力を圧力制御手段が制御する方法は任意である。例えば、液体噴射部に対する液体容器の鉛直方向の位置を圧力制御手段が動作環境に応じて制御する構成が採用され得る。また、液体噴射部に対する液体の供給経路に圧力調整弁が配置された構成では、動作環境に応じて圧力調整弁を制御することが可能である。
【０００８】
本発明の好適な態様において、液体噴射部は、相異なる液体容器から供給される液体を噴射する複数のノズル列を含み、動作環境と供給圧力の調整値とを対応付けるテーブルをノズル列毎に記憶する記憶手段を具備し、圧力制御手段は、複数のノズル列の各々について、環境検知手段が検知する動作環境に対応する調整値を当該ノズル列のテーブルから特定して当該調整値に応じて液体の供給圧力を制御する。以上の態様では、例えば動作環境に応じた液体の噴射量の変化がノズル列毎に相違する場合でも、各ノズル列による液体の噴射量の変化を適切に制御することが可能である。また、動作環境と供給圧力の調整値とが対応付けて記憶されるから、例えば動作環境に応じた調整値を所定の演算で算定する構成と比較して、圧力制御手段の負荷が軽減されるという利点がある。
【０００９】
本発明の好適な態様に係る液体噴射装置は、液体噴射部から噴射された液体の着弾対象の種類を指定する対象指定手段を具備し、圧力制御手段は、液体噴射部に対する液体の供給圧力を、動作環境と着弾対象の種類とに応じて制御する。以上の態様では、液体噴射部に対する液体の供給圧力が着弾対象の種類（表面の特性）に応じて制御されるから、液体噴射部から噴射された液体で着弾対象の表面に形成されるドットの直径を、着弾対象の種類に関わらず均一化することが可能である。
【００１０】
本発明は、以上の各形態に係る液体噴射装置を制御する方法としても特定される。本発明に係る液体噴射装置の制御方法は、液体容器から供給される液体を噴射する液体噴射部を具備する液体噴射装置の制御方法であって、液体噴射部の動作環境を検知し、液体噴射部に対する液体の供給圧力を動作環境に応じて制御する。以上の制御方法でも、本発明の液体噴射装置と同様の作用および効果が実現される。
【図面の簡単な説明】
【００１１】
【図１】本発明の第１実施形態に係る印刷装置の模式図である。
【図２】記録ヘッドの吐出面の平面図である。
【図３】印刷装置の電気的な構成のブロック図である。
【図４】記録ヘッドの動作環境（環境温度）とインクの噴射量との関係を示すグラフである。
【図５】記録ヘッドに対するインクの供給圧力とインクの噴射量との関係を示すグラフである。
【図６】記録ヘッドの動作環境と所定の噴射量を得るための供給圧力との関係を示すグラフである。
【図７】相関テーブルの模式図である。
【図８】第２実施形態における印刷装置のブロック図である。
【図９】第３実施形態における印刷装置のブロック図である。
【発明を実施するための形態】
【００１２】
＜Ａ：第１実施形態＞
図１は、本発明の第１実施形態に係るインクジェット方式の印刷装置１００の部分的な模式図である。印刷装置１００は、微細なインクの液滴を記録紙２００に噴射する液体噴射装置であり、容器保持部（カートリッジホルダー）１０とキャリッジ１２と移動機構１４と搬送機構１６とを具備する。
【００１３】
容器保持部１０は、相異なる色（ブラック(K)，イエロー(Y)，マゼンタ(M)，シアン(C)）のインクが充填された複数のインクカートリッジ２２（２２K，２２Y，２２M，２２C）を着脱可能に保持する。各インクカートリッジ２２は、本発明における液体容器の例示である。容器保持部１０は、印刷装置１００の筐体（図示略）に固定される。すなわち、第１実施形態の印刷装置１００は、インクカートリッジ２２をキャリッジ１２に搭載しないオフキャリッジ方式を採用する。各インクカートリッジ２２は、鉛直方向に個別に変位し得るように容器保持部１０に支持される。
【００１４】
キャリッジ１２には記録ヘッド２４が搭載される。複数のインクカートリッジ２２の各々から記録ヘッド２４に至る供給経路２６（チューブ）を介して、各インクカートリッジ２２内のインクが記録ヘッド２４に並列に供給される。記録ヘッド２４は、各インクカートリッジ２２から供給されるインクを記録紙２００に噴射する液体噴射部として機能する。
【００１５】
図２は、記録ヘッド２４のうち記録紙２００に対向する吐出面３２の平面図である。図２に示すように、記録ヘッド２４の吐出面３２には、相異なる色（ブラック(K)，イエロー(Y)，マゼンタ(M)，シアン(C)）に対応する複数のノズル列３４（３４K，３４Y，３４M，３４C）がＸ方向に間隔をあけて形成される。各ノズル列３４は、Ｘ方向に垂直なＹ方向に相互に間隔をあけて直線状に配列された複数のノズル（吐出口）Ｎの集合である。インクカートリッジ２２Kから供給されるブラック(K)のインクはノズル列３４Kの各ノズルＮから噴射される。同様に、インクカートリッジ２２Yのイエロー(Y)のインクはノズル列３４Yの各ノズルＮから噴射され、インクカートリッジ２２Mのマゼンタ(M)のインクはノズル列３４Mの各ノズルＮから噴射され、インクカートリッジ２２Cのシアン(C)のインクはノズル列３４Cの各ノズルＮから噴射される。なお、各ノズル列３４の複数のノズルＮを千鳥状に配列することも可能である。
【００１６】
図１の移動機構１４は、キャリッジ１２をＸ方向（主走査方向）に往復させる。キャリッジ１２の位置は、リニアエンコーダー等の検出器（図示略）で検出されて移動機構１４の制御に利用される。搬送機構１６は、キャリッジ１２の往復に並行して記録紙２００をＹ方向（副走査方向）に搬送する。キャリッジ１２の往復時に記録ヘッド２４が記録紙２００にインクを噴射することで所望の画像が記録紙２００に記録（印刷）される。
【００１７】
図３は、印刷装置１００の電気的な構成を含むブロック図である。なお、図３では便宜的に１個のインクカートリッジ２２のみが代表的に図示されている。図３に示すように、印刷装置１００は、制御装置１０２と印刷処理部（プリントエンジン）１０４と環境検知部６６とを具備する。環境検知部６６は、記録ヘッド２４の動作環境Ｅを検知する。以下に例示する動作環境Ｅは、記録ヘッド２４の環境温度である。すなわち、記録ヘッド２４やその周囲の温度を検出する温度センサーが環境検知部６６として採用される。印刷処理部１０４は、記録紙２００に画像を記録する要素であり、前述の移動機構１４と搬送機構１６と記録ヘッド２４とを含む。
【００１８】
記録ヘッド２４は、各ノズル列３４の相異なるノズルＮに対応する複数の単位噴射部Ｕと、駆動信号の供給で各単位噴射部Ｕを駆動する駆動回路４２とを具備する。複数の単位噴射部Ｕの各々は、圧力室５２とノズルＮと圧電素子５４とを有する。圧力室５２は、ノズルＮに連通する空間であり、インクカートリッジ２２から供給されるインクが充填される。圧電素子５４は、駆動回路４２から供給される駆動信号に応じて振動する。圧電素子５４が圧力室５２内の圧力を変動させることで圧力室５２内のインクがノズルＮから噴射される。
【００１９】
図３の制御装置１０２は、印刷装置１００の全体を制御する要素であり、制御部６２と記憶部６４とを具備する。記憶部６４は、例えばＲＯＭやＲＡＭ等の記憶回路で構成され、制御プログラムや各種の情報（相関テーブルＴ）を記憶する。制御部６２は、記憶部６４に記憶された制御プログラムの実行で噴射制御部７２および圧力制御部７４として機能する。噴射制御部７２は、外部装置から供給される印刷データに応じて各単位噴射部Ｕの動作（噴射の有無および噴射量）を駆動回路４２に指示する。駆動回路４２は、噴射制御部７２からの指示に応じた駆動信号を各単位噴射部Ｕに供給する。圧力制御部７４は、各インクカートリッジ２２から記録ヘッド２４に供給されるインクの圧力（以下「供給圧力」という）Ｐを制御する。記録ヘッド２４のインクの供給口（供給経路２６のうち記録ヘッド２４側の端部）での圧力が供給圧力Ｐに相当する。
【００２０】
図３に示すように、第１実施形態の印刷装置１００は、調整部４４Aを具備する。調整部４４Aは、圧力制御部７４から指示される調整値Ａに応じて各インクカートリッジ２２を記録ヘッド２４に対して鉛直方向に変位させる。調整部４４Aの構成は任意であるが、例えば、各インクカートリッジ２２や容器保持部１０の底面を押圧するモーター等で構成される。
【００２１】
記録ヘッド２４に対するインクカートリッジ２２の鉛直方向の位置（記録ヘッド２４の吐出面３２とインクカートリッジ２２内のインクの液面との水頭差）に応じて供給圧力Ｐは変化する。具体的には、調整部４４Aがインクカートリッジ２２を上昇させるほど記録ヘッド２４に対する供給圧力Ｐは増加する。圧力制御部７４は、調整部４４Aに調整値Ａを指示して各インクカートリッジ２２の鉛直方向の位置を個別に調整させることで、供給圧力Ｐをインクカートリッジ２２毎に制御する。ただし、各ノズルＮからのインク漏れを防止するために、インクカートリッジ２２内のインクに付与される圧力が負圧となる範囲内（例えばインクカートリッジ２２内のインクの液面が記録ヘッド２４の吐出面３２を下回る範囲内）で供給圧力Ｐは調整される。
【００２２】
図４は、記録ヘッド２４の環境温度（横軸）とインクの噴射量（縦軸）との関係を示すグラフである。図４におけるインクの噴射量は、圧電素子５４に所定の電圧を印加したときに圧力室５２から噴射されるインクの重量に相当し、単位噴射部Ｕによるインクの噴射能力と同視され得る。図４から把握されるように、各単位噴射部Ｕによるインクの噴射量は環境温度に応じて変化する。図４では、環境温度が高いほどインクの粘度が低下して噴射量が増加する場合が例示されている。また、図５は、記録ヘッド２４に対する供給圧力Ｐ（横軸）とインクの噴射量（縦軸）との関係を示すグラフである。図５から理解されるように、インクカートリッジ２２から記録ヘッド２４（圧力室５２）に対する供給圧力Ｐが大きいほど単位噴射部Ｕからのインクの噴射量は略線形に増加する。
【００２３】
図４および図５から理解されるように、供給圧力Ｐを環境温度に応じて変化させれば、各単位噴射部Ｕによるインクの噴射量の環境温度に応じた変化を補償して目標値に維持することが可能である。そこで、第１実施形態の圧力制御部７４は、環境検知部６６が検知した動作環境Ｅに応じて供給圧力Ｐを制御する。具体的には、図６に示すように、圧力制御部７４は、動作環境Ｅが示す環境温度が上昇するほど供給圧力Ｐが減少するように、記録ヘッド２４の動作環境Ｅに応じて調整部４４A（記録ヘッド２４に対する各インクカートリッジ２２の鉛直方向の位置）を制御する。
【００２４】
図３の記憶部６４は、相関テーブルＴをノズル列３４毎に記憶する。図７は、１個のノズル列３４に対応する相関テーブルＴの模式図である。図７に示すように、相関テーブルＴは、動作環境Ｅの各数値（Ｅ1，Ｅ2，……）と調整値Ａの各数値（Ａ1，Ａ2，……）とを対応付けたルックアップテーブルである。動作環境Ｅと供給圧力Ｐとの関係が、図６の関係（すなわち動作環境Ｅが示す環境温度が上昇するほど供給圧力Ｐが増加する関係）となるように、相関テーブルＴにおける動作環境Ｅと調整値Ａとの相関は統計的または実験的に事前に決定される。具体的には、圧電素子５４に所定の電圧を印加したときのインクの噴射量が動作環境Ｅに関わらず目標値に近似する（理想的には合致する）ように、相関テーブルＴ内の動作環境Ｅと調整値Ａとの相関が選定される。なお、動作環境Ｅとインクの噴射量との関係（図４）や供給圧力Ｐとインクの噴射量との関係（図５）は、例えば各色のインクの特性（例えば粘度等）の差異に起因して色毎に相違する。したがって、相関テーブルＴで規定される動作環境Ｅと調整値Ａとの相関は、ノズル列３４毎（すなわちインクの色毎）に相違し得る。
【００２５】
圧力制御部７４は、複数のノズル列３４の各々に対するインクの供給圧力Ｐが、そのノズル列３４の動作環境Ｅと相関テーブルＴとから特定される圧力となるように、調整部４４A（そのノズル列３４に対応するインクカートリッジ２２の鉛直方向の位置）を制御する。具体的には、圧力制御部７４は、各ノズル列３４の現在の動作環境Ｅを環境検知部６６から取得し、そのノズル列３４の相関テーブルＴから動作環境Ｅに対応する調整値Ａを検索して調整部４４Aに指示する。以上のように調整値Ａはノズル列３４毎に設定されるから、各インクカートリッジ２２の鉛直方向の位置はインクカートリッジ２２毎（ノズル列３４毎またはインクの色毎）に相違し得る。
【００２６】
以上に説明した第１実施形態では、記録ヘッド２４の動作環境Ｅに応じてインクの供給圧力Ｐが制御されるから、動作環境Ｅに起因したインクの噴射量の変化を抑制する（噴射量を目標値に維持する）ことが可能である。また、第１実施形態ではノズル列３４毎（インクの色毎）に供給圧力Ｐが制御されるから、各インクの特性が相違する場合でも、各ノズル列３４によるインクの噴射量を適切に補償できるという利点がある。
【００２７】
なお、動作環境Ｅに起因したインクの噴射量の変化を抑制する構成としては、例えば、各圧電素子５４に供給される駆動信号の電圧を動作環境Ｅに応じて変化させる構成も想定され得る。しかし、駆動信号の電圧を上昇させた場合には、消費電力が増加するという問題がある。第１実施形態によれば、供給圧力Ｐの制御でインクの噴射量の変化が補償されるから、駆動信号の電圧を上昇させる構成と比較して消費電力を低減することが可能である。また、駆動信号の加工を必要とせずに簡便にインクの噴射用の変化を補償できるという利点もある。
【００２８】
＜Ｂ：第２実施形態＞
本発明の第２実施形態を以下に説明する。なお、以下に例示する各構成において作用や機能が第１実施形態と同等である要素については、以上の説明で参照した符号を流用して各々の詳細な説明を適宜に省略する。
【００２９】
図８は、第２実施形態の印刷装置１００の電気的な構成を含むブロック図である。図８に示すように、第２実施形態の印刷装置１００は、第１実施形態における調整部４４Aを調整部４４Bに置換するとともにインクカートリッジ２２毎に圧力調整弁４６を追加した構成である。各インクカートリッジ２２の鉛直方向の位置は固定される。
【００３０】
各圧力調整弁４６は、各インクカートリッジ２２から記録ヘッド２４に対するインクの供給経路２６に配置されて記録ヘッド２４に対するインクの供給圧力Ｐを決定する。調整部４４Bは、圧力制御部７４から指示される調整値Ａに応じて各圧力調整弁４６を調整する。圧力制御部７４は、各ノズル列３４の調整値Ａを調整部４４Bに指示して圧力調整弁４６を調整させることで、記録ヘッド２４に対する供給圧力Ｐをインクカートリッジ２２毎（ノズル列３４毎）に制御する。第１実施形態と同様に、動作環境Ｅ（環境温度）と供給圧力Ｐとの関係が図６の関係となるように、環境検知部６６が検知した動作環境Ｅに応じた調整値Ａが相関テーブルＴを利用して決定される。したがって、第２実施形態においても第１実施形態と同様の効果が実現される。
【００３１】
＜Ｃ：第３実施形態＞
図９は、第３実施形態の印刷装置１００の電気的な構成を含むブロック図である。図９に示すように、第３実施形態の印刷装置１００の制御部６２は、噴射制御部７２および圧力制御部７４に加えて対象指定部７６として機能する。対象指定部７６は、記録紙２００の種類を特定する。具体的には、対象指定部７６は、入力装置（図示略）に対する利用者からの指示（例えば記録紙２００の種類を選択する指示）に応じて記録紙２００の種類を特定し、その種類に応じた補正値αを生成する。
【００３２】
記録ヘッド２４から噴射した液滴を記録紙２００に着弾させることで形成されるドットの直径は、記録紙２００の種類（吸収率等の特性）に応じて相違する。したがって、目標の直径のドットを形成するには、ドットの直径が小さくなり易い特性の記録紙２００ほど、記録ヘッド２４からのインクの噴射量を増加させる必要がある。以上の傾向を考慮して、第３実施形態の圧力制御部７４は、環境検知部６６が検知した動作環境Ｅと対象指定部７６が特定した記録紙２００の種類とに応じて、記録ヘッド２４に対するインクの供給圧力Ｐを制御する。具体的には、圧力制御部７４は、動作環境Ｅに応じてノズル列３４毎に相関テーブルＴから検索した調整値Ａ（暫定値）を、対象指定部７６が記録紙２００の種類に応じて設定した補正値αを利用して補正することで、ノズル列３４毎に確定的な調整値Ａを算定する。例えば、ドットの直径が小さくなり易い種類の記録紙２００にインクを噴射する場合ほど供給圧力Ｐが増加するように、圧力制御部７４は動作環境Ｅと記録紙２００の種類（補正値α）とに応じた調整値Ａを設定する。なお、補正値αをノズル列３４毎に個別に設定することも可能である。
【００３３】
第３実施形態でも第１実施形態と同様の効果が実現される。また、第３実施形態では、動作環境Ｅに加えて記録紙２００の種類（特性）も供給圧力Ｐに反映されるから、記録紙２００の種類を供給圧力Ｐに反映させない構成と比較すると、記録紙２００が変更された場合でもインクの噴射量の変化を適切に低減する（噴射量を目標値に維持する）ことが可能である。なお、以上の説明では第１実施形態を基礎とした構成を例示したが、記録紙２００の種類を供給圧力Ｐに反映させる第３実施形態の構成は、第２実施形態にも同様に採用される。
【００３４】
＜Ｄ：変形例＞
以上の各形態は多様に変形される。具体的な変形の態様を以下に例示する。以下の例示から任意に選択された２以上の態様は、相互に矛盾しない範囲で適宜に併合され得る。
【００３５】
（１）変形例１  
前述の各形態では、環境温度を動作環境Ｅとして例示したが、動作環境Ｅの内容は適宜に変更される。例えば、記録ヘッド２４やその周辺の環境湿度を動作環境Ｅとして環境検知部６６が検知する構成も好適である。例えば、環境湿度が低いほど各単位噴射部Ｕによるインクの噴射量が減少するという傾向を前提とすれば、動作環境Ｅが示す環境湿度が低いほど供給圧力Ｐが増加するように、圧力制御部７４は動作環境Ｅに応じた調整値Ａを設定する。
【００３６】
（２）変形例２  
供給圧力Ｐを制御する方法は、インクカートリッジ２２の変位（第１実施形態）や圧力調整弁４６の調整（第２実施形態）に限定されない。例えば、各インクカートリッジ２２に外部から作用させる圧力を動作環境Ｅに応じて調整することで供給圧力Ｐを制御する構成や、各インクカートリッジ２２に供給する空気量を動作環境Ｅに応じて調整することで供給圧力Ｐを制御する構成も採用され得る。また、以上の各形態ではノズル列３４毎（インクカートリッジ２２毎）に供給圧力Ｐを個別に制御したが、例えばインク毎の特性の相違が無視できる場合には、複数のノズル列３４について供給圧力Ｐを共通に調整する構成も好適である。供給圧力Ｐを各ノズル列３４で共通に調整する構成では、相関テーブルＴを１種類だけ記憶部６４に格納すれば足りるという利点がある。もっとも、１種類のインクカートリッジ２２のみが装着される構成（１個のノズル列３４のみが形成される構成）にも本発明を適用することは可能である。
【００３７】
（３）変形例３  
以上の各形態では、動作環境Ｅに応じた供給圧力Ｐの制御に相関テーブルＴを利用したが、動作環境Ｅに応じた供給圧力Ｐ（調整値Ａ）を決定する方法は適宜に変更される。例えば、動作環境Ｅと調整値Ａとの関係を定義する演算式に、環境検知部６６が検知した動作環境Ｅを代入することで、圧力制御部７４が調整値Ａを算定することも可能である。ただし、調整値Ａを演算する構成では、制御部６２（圧力制御部７４）の負荷が過大となり得るから、制御部６２の負荷を軽減するという観点からは、前述の各形態のように相関テーブルＴを利用する構成が好適である。
【００３８】
また、複数種のテーブルを利用して動作環境Ｅに応じた供給圧力Ｐ（調整値Ａ）を決定することも可能である。例えば、動作環境Ｅとインクの噴射量との関係（図４）を規定する第１テーブルと、供給圧力Ｐとインクの噴射量との関係（図５）を規定する第２テーブルとが記憶部６４に格納される。圧力制御部７４は、第１テーブルにて現在の動作環境Ｅに対応する噴射量のインクを噴射するために必要な供給圧力Ｐを第２テーブルから特定し、その供給圧力Ｐに応じた調整値Ａを調整部４４Aまたは調整部４４Bに指示する。以上の構成でも前述の各形態と同様の効果が実現される。
【００３９】
（４）変形例４  
動作環境Ｅと供給圧力Ｐとの関係は図６の例示に限定されない。例えば、前述の各形態では、環境温度が高いほどインクの粘度が低下して噴射量が増加する傾向を前提として図６の関係を決定したが、例えばインクの特性によっては、環境温度が高いほどノズルＮを介した水分の蒸発が増加して噴射量が減少する可能性もある。環境温度が高いほど噴射量が減少する場合、圧力制御部７４は、動作環境Ｅが示す環境温度が上昇するほど供給圧力Ｐが増加するように調整部４４（４４A，４４B）を制御する。
【００４０】
（５）変形例５  
以上の各形態では、記録ヘッド２４を搭載したキャリッジ１２を往復させるシリアル型の印刷装置１００を例示したが、記録紙２００の幅方向の全域に対向するように複数の単位噴射部Ｕ（ノズルＮ）が配列されたライン型の印刷装置１００にも本発明を適用することが可能である。ライン型の印刷装置１００では記録ヘッド２４が固定され、記録紙２００を搬送させながら各ノズルＮからインクの液滴を噴射することで記録紙２００に画像が記録される。以上の説明から理解されるように、記録ヘッド２４（各単位噴射部Ｕ）自体の可動／固定は本発明において不問である。
【００４１】
（６）変形例６  
圧力室５２内の圧力を変化させる要素（圧力発生素子）は圧電素子５４に限定されない。例えば、静電アクチュエーター等の振動体を利用することも可能である。また、圧力発生素子は、圧力室５２に機械的な振動を付与する要素に限定されない。例えば、圧力室５２の加熱で気泡を発生させて圧力室５２内の圧力を変化させる発熱素子（ヒーター）を圧力発生素子として利用することも可能である。すなわち、圧力発生素子は、圧力室５２内の圧力を変化させる要素として包括され、圧力を変化させる方法（ピエゾ方式／サーマル方式）や構成の如何は不問である。
【００４２】
（７）変形例７  
以上の各形態の印刷装置１００は、プロッターやファクシミリ装置，コピー機等の各種の機器に採用され得る。もっとも、本発明の液体噴射装置の用途は画像の印刷に限定されない。例えば、各色材の溶液を噴射する液体噴射装置は、液晶表示装置のカラーフィルターを形成する製造装置として利用される。また、液体状の導電材料を噴射する液体噴射装置は、例えば有機ＥＬ（Electroluminescence）表示装置や電界放出表示装置（ＦＥＤ：Field Emission Display）等の表示装置の電極を形成する電極製造装置として利用される。また、生体有機物の溶液を噴射する液体噴射装置は、生物化学素子（バイオチップ）を製造するチップ製造装置として利用される。そして、液体の噴射の目標となる物体（着弾対象）は液体噴射装置の用途に応じて相違する。具体的には、前述の印刷装置１００の着弾対象は記録紙２００であるが、液体噴射装置を表示装置の製造に使用する場合には、例えば表示装置を構成する基板が着弾対象に相当する。
【符号の説明】
【００４３】
１００……印刷装置、１０２……制御装置、１０４……印刷処理部、１２……キャリッジ、１４……移動機構、１６……搬送機構、２２（２２K，２２Y，２２M，２２C）……インクカートリッジ、２４……記録ヘッド、２６……供給経路、３２……吐出面、３４（３４K，３４Y，３４M，３４C）……ノズル列、Ｎ……ノズル、４２……駆動回路、４４A，４４B……調整部、４６……圧力調整弁、５２……圧力室、５４……圧電素子、６２……制御部、６４……記憶部、６６……環境検知部、７２……噴射制御部、７４……圧力制御部、７６……対象指定部。
【図１】
2012158132.tif 000003
【図２】
2012158132.tif 000004
【図３】
2012158132.tif 000005
【図４】
2012158132.tif 000006
【図５】
2012158132.tif 000007
【図６】
2012158132.tif 000008
【図７】
2012158132.tif 000009
【図８】
2012158132.tif 000010
【図９】
2012158132.tif 000011